(57)【要約】      （修正有）【課題】サルカンの回動軸にクッション機能を装備し、餌に食いついた魚の引きを緩和し、魚の口切れやハリス切れを防ぐ。【解決手段】筒状で蓋付でなるケース体１に収容する回動軸２に緩やかに貫通でなる反発ｆ配列の静止マグネット３と可動マグネット４でなり、該静止マグネット３はケース体１の側面１ａ内側に配置し、同磁極で反発ｆ対向配置の可動マグネット４は回動軸２のケース体の側面１ａに突き出る回動軸２の端部２ａでハリスＢ側に負荷する魚の引きＰと回動ｆが回動軸２に連動して該可動マグネット４が着想する所定の間隔Ｌを起点にし、静止マグネット３に近接接合と磁気的反発ｆでの伸縮クッションと回動ｔ作用での絡み防止可能なショック緩和サルカンであって、更に、ボールベアリング６を介在する軸受をケース体１内部に具備した回動軸５の構成にしたショック緩和サルカンにする。【選択図】図１
2011130755.tif 000002
【特許請求の範囲】
【請求項１】
筒状で蓋体付でなるケース体１に収容する回動軸２に緩やかに貫通でなる反発ｆ配列の静止マグネット３と可動マグネット４でなり、該静止マグネット３はケース体１の側面１ａ内側に配置し、同磁極で反発ｆ対向配置の可動マグネット４は回動軸２のケース体１の側面１ａに突き出る回動軸２の端部２ａでハリスＢ側に負荷する魚の引きＰと回動ｔが回動軸２に連動して該可動マグネット４が着装する所定の間隔Ｌを起点にし、静止マグネット３に接近接合と磁力的反発ｆでの伸縮クッションと回動ｔ作用での絡み防止可能なショック緩和サルカンであって、更に、当該ケース体１蓋体の側面１ｂに突き出る回動軸５の端部２ｂが道糸Ａ側に接続し、ハリスＢ側の魚の引きＰや回動ｔに準じ円滑に回動ｔする為に装備したボールベアリング６を介在する軸受をケース体１内部に具備した回動軸５にしたことを特徴とする、ショック緩和サルカン。
【請求項２】
前記する静止マグネット３と可動マグネット４を希土類材質での強磁性体マグネットにし、これらの表面部に塗装Ｍでの被履加工を施したことを特徴とする、請求項１記載のショック緩和サルカン。
【発明の詳細な説明】
【技術分野】
【０００１】  この発明は、釣り仕掛けでの道糸側とハリス側の間に介在するサルカンが、釣り餌に食いつく魚のアタリの引きの感知と引掛け魚の釣り上げ時のショックを防ぎ逃げ回る魚の口切れや絡み等のトラブルを防止する為の、クッション機能をサルカンに内蔵して構成する、ショック緩和サルカンの改良に関する。
【背景技術】
【０００２】  この種の従来の関連技術として登録実用新案文献１に記載され開示されている。これらのショック緩和サルカンにおいては、中心孔付きのＡマグネットに直列で同磁極で対向に配置し双方の反発力間内で移動可能な中心孔付きのＢマグネットを内蔵構成する蓋体付の密閉式円筒体ケースが、その蓋体の端子が道糸側に接続され、一方の端子の側面に開口する軸孔に差し込まれて回動とスライド自在でなる駆動軸は、内蔵するＡマグネットに貫通し更に、反発力で直列するＢマグネットの中心孔に貫通し、該回動軸に係止した止め座によって該Ｂマグネットは回動軸の引きや回動に一体的連動する構成でハリス側に接続され該ハリスに負荷する魚の引きや回動が、Ａマグネットに所定の間隔を起点にして反発配置でなるＢマグネットはその反発に逆らいながらＡマグネット側に強引に引き寄せられ近接接合し、魚の引きの力の解除にて即座に磁気的反発力にて元の定位置まで遠のき、駆動軸の伸縮、回動を可能な構成としている。
【登録実用新案文献１】
【０００３】実用新案登録第３１４７６５０号公報
【発明の開示】
【発明が解決しようとする課題】
【０００４】  しかしながら、文献１で記載されたショック緩和サルカンは、釣り時での水中で釣り餌に食い付いた魚の引っ張りが弱い時は駆動軸はスムーズに回転するが、大物魚での強力な引っ張り負荷での回転は、定着するＡマグネット面にＢマグネット面が接合しながら回転しようとする為、滑り摩擦損失を受け駆動軸の回転が鈍り、サルカンとしての絡み防止を阻害するなどの課題が残り、小物魚釣り用のサルカンと大物魚釣り用のサルカンとの使い分けの選択を必要としなければならないなどの課題が残る。【０００５】  そしてまた、片側１本の駆動軸構成でのショック緩和サルカンの為、駆動軸がきしんだり、不測な駆動軸のトラブルによって、魚釣り時での絡み防止とクッション機能を失態してしまう等の課題がある。【０００６】  そしてまた、手頃なサイズでなる１個のショック緩和サルカンを使い、小物魚の微小な引きや回動から、大物魚の強烈な魚の引きや回動に至るまで、クッション性と回動のスムーズさを阻害しないショック緩和サルカンが強く要望されていた。
【課題を解決するための手段】
【０００７】  この発明は、かかる課題を解決する為に、請求項１での発明は、図１での正面断面図と図２での使用例正面図で述べるに、筒状のケース体１に収容し回動軸２に緩やかに貫通し反発ｆ配列でなる静止マグネット３と可動マグネット４でなり、該静止マグネット３は一方側面に配置し、反発対向の可動マグネット４は回動軸２のケース体１他方側面１ａに突き出る回動軸２の端部２ａに釣り時に負荷するハリスＢ側の引きＰと回動ｔに連動して双方マグネットの所定でなる隙間Ｌを起点にし反発ｆと接近でのクッション作用構成でなるショック緩和サルカンは更に、当該ケース体１の他方の側面１ｂに貫通し突き出る回動軸５の端部２ｂ側に、釣り時に負荷するハリスＢ側の魚の動き回りで、該回動軸５の回動ｔが円滑に可動する為の、ボールベアリング６を介在する軸受にし道糸側に接続し、ケース体１の両方の側面１ａ，１ｂに回動軸２，５を突き出した構成での、ショック緩和サルカンとする。そしてまた、請求項２での発明は、図２での一部断面での正面図で述べるに、前記する静止マグネット３と可動マグネット４を希土類材質での強磁性体マグネットにし、これらのマグネットのそれぞれに表面部に塗装Ｍで被覆加工を施したことを構成とする。
【発明の効果】
【０００８】  本発明は上述の通り構成作用するので、次の優れた効果を奏する。即ち、請求項１での効果は、筒状のケース体の両側面にそれぞれ突き出る回動軸を設けた為両軸がそれぞれ微小な力でスムーズに回動し且つ、いずれかの回動軸にトラブルが発生しても、絡み防止に支障をきたす事の無いショック緩和サルカンを提供出来る。【０００９】  更に、一方の回動軸は軸受にボールベアリングを設けてスムーズな回動での絡み防止が出来、他方の回動軸は其れに装備してなる対向でのマグネットは接合面で滑り摩擦損失の無い引き負荷の大小に関係なく、スムーズな回動と伸縮自在でなるショック緩和サルカンを提供出来る。【００１０】  次に請求項２での効果は前記するマグネット表面を防錆処理を施す事で、汚れた海中で錆や変質の発生を防ぐ安定した品質を保持できるショック緩和サルカンを提供出来る。
【発明を実施するための最良の形態】
【００１１】  以下に図示の実施例に基づいて本発明を更に詳細に説明する。即ち、図１は本発明での第１実施例に基づく断面での正面図で、筒状のケース体１内には中心孔を持つ棒状の強磁性体でなる、静止マグネット３と可動マグネット４を所定の隙間Ｌを置いて設け同磁極の反発ｆでの対向配置で、回動自在に回動軸２に差し込み収容するが、これらの細長い回動軸２のハリスＢ側に接続される端子はケース体１に飛び出し、他の端子はケース体１の一部に設けた軸受孔１ｃに差し込まれ、一対のマグネットが装着され、可動マグネット４は回動軸２に一体化するブッシュ１ｄに保持され連動することで、静止マグネット３への磁気的反発ｆがハリスＢ側の魚の引きＰ負荷での近寄りと遠のきを自在にするクッション構成とする。【００１２】  また、当該ケース体１に一体化して設けた蓋体の側面１ｂに貫通し、突き出る回動自在で道糸Ａ側に接続する回動軸５が円滑に安定的に長期間にわたって回動ｔする為に、ボールベアリング６をケース体１内部で回動軸５外周に装備でなるボール軸受にし、これらの回動軸５の他方の端子はケース体１内部に設けた軸受孔１ｃに差し込まれて支軸することで、ケース体１の側面１ａに回動ｔと伸縮クッション可能での回動軸２と他の側面１ｂには回動ｔ自在でなる回動軸５を突き出しての両軸に回動ｔ機能を持つショック緩和サルカン構成を具現化する。【００１３】  次に、前記する静止マグネット３と可動マグネット４を強磁性体での希土類材質にし、これらの表面部に塗装Ｍでの被覆加工を施し、汚れた海中でのマグネットの錆を防ぐ防錆を実施し、更には、これらの薄膜コーティングは双方の滑り面を円滑にする為の原料をエポキシやナイロンなどの塗料を使われると効果的であるが、塗装での工法、原料を特定するものでなく、当該静止マグネット３と可動マグネット４の使用環境に適合する要件をクリアーする為の構成で良い。
【図面の簡単な説明】
【００１４】
【図１】  本発明に係わる第１実施例で断面を示しての正面図である。
【図２】  本考案に係わる第１実施例での使用例を示し、且つ、第２実施例を併用しての部分断面を示しての正面図である。
【符合の説明】
【００１５】Ａ          道糸
Ｂ          ハリス
Ｐ          引き
Ｌ          隙間
Ｍ          塗装
ｆ          反発
ｔ          回動
１          ケース体
１ａ，１ｂ  側面
１ｃ        軸受孔
１ｄ        ブッシュ
１ｅ        蓋体
２ａ，２ｂ  端部
２、５      回動軸
３          静止マグネット
４          可動マグネット
６          ボールベアリング
【図１】
2011130755.tif 000003
【図２】
2011130755.tif 000004